(57)【要約】【課題】  画像形成装置に接続する製本装置において、接着剤の加熱を適切に制御することで異臭の原因となる接着剤の揮発成分の発生を抑制し、周囲の作業者の不快感を軽減するとともに、ヒータによる電力消費の省電力化を実現する。【解決手段】  製本装置１には、接着剤２０と、接着剤ヒータ２２と、接着剤ヒータ制御手段２３と、を備え、画像形成装置２と製本装置１間には、信号の送受信を取り持つ通信手段３を備え、前記画像形成装置２には、判断手段３０と、指示手段３１と、を備え、前記判断手段３０の第１の判断結果により、指示手段３１は第１の指示を通信手段３を介して接着剤ヒータ制御手段２３に対して指示し、前記接着剤ヒータ制御手段２３は、第１の指示を受け、接着剤ヒータ２２を第１の方法で制御する画像形成装置と製本装置が接続されたシステム。【選択図】        図５
2007057580.tif 000002
【特許請求の範囲】
【請求項１】
画像形成装置と、画像形成装置から出力される複数枚の用紙を接着剤を用いて接着し製本する機能を備えた製本装置とが接続されたシステムであって、
前記製本装置には、接着剤と、接着剤ヒータと、接着剤ヒータ制御手段と、を備え、
前記画像形成装置と製本装置間には、信号の送受信を取り持つ通信手段を備え、
前記画像形成装置には、判断手段と、指示手段と、を備え、
前記判断手段の第１の判断結果により、指示手段は第１の指示を通信手段を介して接着剤ヒータ制御手段に対して指示し、
前記接着剤ヒータ制御手段は、第１の指示を受け、接着剤ヒータを第１の方法で制御することを特徴とする画像形成装置と製本装置が接続されたシステム。
【請求項２】
前記製本装置は温度センサを備え、前記第１の方法とは、接着剤温度を接着剤が塗布可能な温度である第１の目標温度とするべく接着剤ヒータを制御することを特徴とする請求項１記載の画像形成装置と製本装置が接続されたシステム。
【請求項３】
前記判断手段の第２の判断結果により、指示手段は第２の指示を通信手段を介して接着剤ヒータ制御手段に対して指示し、前記接着剤ヒータ制御手段は、第２の指示を受け、接着剤ヒータを第２の方法で制御することを特徴とする請求項１記載の画像形成装置と製本装置が接続されたシステム。
【請求項４】
前記製本装置は温度センサを備え、前記第２の方法とは、第１の目標温度より低い第２の目標温度とするべく接着剤ヒータを制御し、接着剤が塗布可能な温度であることを特徴とする請求項１記載の画像形成装置と製本装置を接続されたシステム。
【請求項５】
前記判断手段の第３の判断結果により、指示手段は第３の指示を通信手段を介して接着剤ヒータ制御手段に対して指示し、前記接着剤ヒータ制御手段は、第３の指示を受け、ヒータの加熱を停止するべく制御することを特徴とする請求項１に記載の画像形成装置と製本装置が接続されたシステム。
【請求項６】
前記判断手段は、画像形成装置に入力されたコピー若しくはプリントのジョブが製本を要するジョブであることの判断をもって、判断結果とすることを特徴とする請求項１ないし５のいずれかに記載の画像形成装置と製本装置が接続されたシステム。
【請求項７】
前記判断手段は、画像形成装置にコピー若しくはプリントのジョブが入力されたことの判断をもって、判断結果とすることを特徴とする請求項１ないし５のいずれかに記載の画像形成装置と製本装置が接続されたシステム。
【請求項８】
前記判断手段は、画像形成装置の電源が投入されたことの判断をもって、判断結果とすることを特徴とする請求項１ないし５のいずれかに記載の画像形成装置と製本装置が接続されたシステム。
【請求項９】
前記判断手段は、画像形成装置が節電状態から復帰したことの判断をもって、判断結果とすることを特徴とする請求項１ないし５のいずれかに記載の画像形成装置と製本装置が接続されたシステム。
【請求項１０】
前記判断手段は、画像形成装置に備える操作パネルへ接触したことの判断をもって、判断結果とすることを特徴とする請求項１ないし５のいずれかに記載の画像形成装置と製本装置が接続されたシステム。
【請求項１１】
前記判断手段は、画像形成装置に入力されたコピー若しくはプリントのジョブが完了したことの判断をもって、判断結果とすることを特徴とする請求項１ないし５のいずれかに記載の画像形成装置と製本装置が接続されたシステム。
【請求項１２】
前記判断手段は、画像形成装置の電源が断されたことの判断をもって、判断結果とすることを特徴とする請求項１ないし５のいずれかに記載の画像形成装置と製本装置が接続されたシステム。
【請求項１３】
前記判断手段は、画像形成装置が節電状態に移行したことの判断をもって、判断結果とすることを特徴とする請求項１ないし５のいずれかに記載の画像形成装置と製本装置が接続されたシステム。
【請求項１４】
前記接着剤ヒータ制御手段は、第１、第２、第３の指示を受けた後、目標とする所定の温度まで上昇もしくは下降したとき、それぞれ第１、第２、第３の応答を通信手段を介して画像形成装置へ通知することを特徴とする請求項１ないし５のいずれかに記載の画像形成装置と製本装置が接続されたシステム。
【請求項１５】
前記画像形成装置はモード変更手段を備え、前記判断手段は、前記モード変更手段によるモード変更によって、その判断結果を変更することを特徴とする請求項３ないし５のいずれかに記載の画像形成装置と製本装置が接続されたシステム。
【発明の詳細な説明】
【技術分野】
【０００１】
本発明は、画像形成装置から出力される用紙を整合して接着剤を用いて製本を行う、画像形成装置と製本装置が接続されたシステムに関し、特に、接着剤を温度制御する必要の有る製本装置に関する。
【背景技術】
【０００２】
近年、複写機、プリンタ、これらの複合機等の画像形成装置本体により画像が記録された用紙の所定位置に、接着剤により糊付け処理をして、製本化する接着製本装置が提供されている。
【０００３】
糊付け製本装置としては、
（１）糊吐出ノズルを用いて用紙に糊を吐出する装置
（２）糊収容箱に糊車を設置し、該回転する糊車の外周に糊を付着させ、糊車の外周を用紙に接触させて接触転写する装置
（３）ノズルよりホットメルト剤（熱融着剤）と加熱圧縮空気の混合体を吐出するホットメルト塗布装置
（４）粘着性を有する糊が予め塗布された両面粘着テープを加熱しながら用紙束の一側縁に貼り付けるテープ貼り装置
等が用いられている。
【０００４】
例えば、下記特許文献１に記載の糊付け方法及び装置は、糊吐出ノズルから吐出した糊に高圧空気を吹き付けて薄膜状にするものである。
【０００５】
また、特許文献２に記載の製本装置は、第１の方向に搬送する用紙を、その搬送方向と直交する第２の搬送方向に偏向し、その後、走行する用紙の端部に帯状に糊を塗布し、積載、整合後に加圧して製本するものである。
【０００６】
背面テープ貼り製本方法としては、加熱時に粘着性を有する糊が予め塗布されたテープを加熱しながら貼り付けたり、水を含むと粘着性を有する糊が予め塗布されたテープを用いる方法が知られている。従来のテープ貼りの方式は、例えば下記特許文献３、４、５に開示されている。
【０００７】
接着製本システムは、ステイプル針を使用するタイプのシステムに比べ、より多くの用紙を一冊に製本できるため、利用性が高いという利点がある。
【０００８】
接着製本システムでは接着剤を接着可能温度まで加熱してから接着を行うため、この加熱により、接着剤の揮発成分を起因とする異臭を発生し、周囲の作業者へ不快感を及ぼすことになる。
【０００９】
従来、このような接着製本システムは大型の画像形成装置とともに使用されるケースが多く、これらのシステムの多くはシステム専用の隔離環境に設置されているため、問題となるケースは少なかった。
【００１０】
しかし、近年オフィスなどに設置される中型、小型の画像形成装置においてもこのような接着製本システムへのニーズが高まっている。揮発成分を周囲へ漏しないために脱臭フィルタを備えるなどの対策もとられているが、その作用は限定的なものである。
【特許文献１】特開平７−８０３７７号公報
【特許文献２】特表昭５９−５００９０７号公報
【特許文献３】特開昭６２−２８４７９５号公報
【特許文献４】米国特許第４，９８５，７２９号明細書
【特許文献５】特開平３−１５１２８６号公報
【発明の開示】
【発明が解決しようとする課題】
【００１１】
一般に、常温で固体の接着剤を用いて製本を行う場合、接着可能温度まで接着剤を加熱し、液状にしてから接着を行う必要がある。接着剤の加熱を行うと、その揮発成分を起因とする異臭を発生し、周囲の作業者へ不快感を及ぼすことになる。揮発成分を周囲へ漏しないために脱臭フィルタを備えるなどの対策もとられているが、脱臭フィルタによって完全に無臭とすることは難しい。また、常時接着剤を接着可能温度にしておくことは、接着剤のヒータが不必要な電力を消費することにつながる。
【００１２】
本発明は、上述の問題点に着目して成されたものであって、画像形成装置に接続する製本装置において、接着剤の加熱を適切に制御することで異臭の原因となる接着剤の揮発成分の発生を抑制し、周囲の作業者の不快感を軽減するとともに、ヒータによる電力消費の省電力化を実現する、画像形成装置と製本装置が接続されたシステムの提供を目的とする。
【課題を解決するための手段】
【００１３】
上記目的を達成するため、請求項１の発明は、
画像形成装置と、画像形成装置から出力される複数枚の用紙を接着剤を用いて接着し製本する機能を備えた製本装置とが接続されたシステムであって、
前記製本装置には、接着剤と、接着剤ヒータと、接着剤ヒータ制御手段と、を備え、
前記画像形成装置と製本装置間には、信号の送受信を取り持つ通信手段を備え、
前記画像形成装置には、判断手段と、指示手段と、を備え、
前記判断手段の第１の判断結果により、指示手段は第１の指示を通信手段を介して接着剤ヒータ制御手段に対して指示し、
前記接着剤ヒータ制御手段は、第１の指示を受け、接着剤ヒータを第１の方法で制御することを特徴とする画像形成装置と製本装置が接続されたシステムを提供する。
【００１４】
上記目的を達成するため、請求項２の発明は、
前記製本装置は温度センサを備え、前記第１の方法とは、接着剤温度を接着剤が塗布可能な温度である第１の目標温度とするべく接着剤ヒータを制御することを特徴とする請求項１記載の画像形成装置と製本装置が接続されたシステムを提供する。
【００１５】
上記目的を達成するため、請求項３の発明は、
前記判断手段の第２の判断結果により、指示手段は第２の指示を通信手段を介して接着剤ヒータ制御手段に対して指示し、前記接着剤ヒータ制御手段は、第２の指示を受け、接着剤ヒータを第２の方法で制御することを特徴とする請求項１記載の画像形成装置と製本装置が接続されたシステムを提供する。
【００１６】
上記目的を達成するため、請求項４の発明は、
前記製本装置は温度センサを備え、前記第２の方法とは、第１の目標温度より低い第２の目標温度とするべく接着剤ヒータを制御することを特徴とする請求項１記載の画像形成装置と製本装置が接続されたシステムであり、接着剤が塗布可能な温度であることを特徴とする請求項１記載の画像形成装置と製本装置が接続されたシステムを提供する。
【００１７】
上記目的を達成するため、請求項５の発明は、
前記判断手段の第３の判断結果により、指示手段は第３の指示を通信手段を介して接着剤ヒータ制御手段に対して指示し、前記接着剤ヒータ制御手段は、第３の指示を受け、ヒータの加熱を停止するべく制御することを特徴とする請求項１に記載の画像形成装置と製本装置が接続されたシステムを提供する。
【００１８】
上記目的を達成するため、請求項６の発明は、
前記判断手段は、画像形成装置に入力されたコピー若しくはプリントのジョブが製本を要するジョブであることの判断をもって、判断結果とすることを特徴とする請求項１ないし５のいずれかに記載の画像形成装置と製本装置が接続されたシステムを提供する。
【００１９】
上記目的を達成するため、請求項７の発明は、
前記判断手段は、画像形成装置にコピー若しくはプリントのジョブが入力されたことの判断をもって、判断結果とすることを特徴とする請求項１ないし５のいずれかに記載の画像形成装置と製本装置が接続されたシステムを提供する。
【００２０】
上記目的を達成するため、請求項８の発明は、
前記判断手段は、画像形成装置の電源が投入されたことの判断をもって、判断結果とすることを特徴とする請求項１ないし５のいずれかに記載の画像形成装置と製本装置が接続されたシステムを提供する。
【００２１】
上記目的を達成するため、請求項９の発明は、
前記判断手段は、画像形成装置が節電状態から復帰したことの判断をもって、判断結果とすることを特徴とする請求項１ないし５のいずれかに記載の画像形成装置と製本装置が接続されたシステムを提供する。
【００２２】
上記目的を達成するため、請求項１０の発明は、
前記判断手段は、画像形成装置に備える操作パネルへ接触したことの判断をもって、判断結果とすることを特徴とする請求項１ないし５のいずれかに記載の画像形成装置と製本装置が接続されたシステムを提供する。
【００２３】
上記目的を達成するため、請求項１１の発明は、
前記判断手段は、画像形成装置に入力されたコピー若しくはプリントのジョブが完了したことの判断をもって、判断結果とすることを特徴とする請求項１ないし５のいずれかに記載の画像形成装置と製本装置が接続されたシステムを提供する。
【００２４】
上記目的を達成するため、請求項１２の発明は、
前記判断手段は、画像形成装置の電源が断されたことの判断をもって、判断結果とすることを特徴とする請求項１ないし５のいずれかに記載の画像形成装置と製本装置が接続されたシステムを提供する。
【００２５】
上記目的を達成するため、請求項１３の発明は、
前記判断手段は、画像形成装置が節電状態に移行したことの判断をもって、判断結果とすることを特徴とする請求項１ないし５のいずれかに記載の画像形成装置と製本装置が接続されたシステムを提供する。
【００２６】
上記目的を達成するため、請求項１４の発明は、
前記接着剤ヒータ制御手段は、第１、第２、第３の指示を受けた後、目標とする所定の温度まで上昇もしくは下降したとき、それぞれ第１、第２、第３の応答を通信手段を介して画像形成装置へ通知することを特徴とする請求項１ないし５のいずれかに記載の画像形成装置と製本装置が接続されたシステムを提供する。
【００２７】
上記目的を達成するため、請求項１５の発明は、
前記画像形成装置はモード変更手段を備え、前記判断手段は、前記モード変更手段によるモード変更によって、その判断結果を変更することを特徴とする、請求項３ないし５のいずれかに記載の画像形成装置と製本装置が接続されたシステムを提供する。
【発明の効果】
【００２８】
本発明によれば、画像形成装置に接続する製本装置において、接着剤の加熱を適切に制御することで異臭の原因となる接着剤の揮発成分の発生を抑制し、周囲の作業者の不快感を軽減するとともに、ヒータによる電力消費の省電力化をはかることができる。
【発明を実施するための最良の形態】
【００２９】
以下に本発明を実施するための最良の形態を、実施例に基づいて説明する。
【００３０】
図１は、本発明の一実施形態による画像形成装置と製本装置の見取り図、図２は、同製本装置を正面から見たときの断面図である。
【００３１】
画像形成装置２は、１枚ずつ給送される用紙に対して電子写真方式でコピー画像もしくはプリントアウト画像を形成する装置を構成しており、画像形成済みの用紙を製本装置１へ給送するように併設している。
【００３２】
製本装置１は、画像形成装置２と信号線３によって接続され、用紙の整合および接着剤による接着をもって、製本物を作成する装置を構成している。
【００３３】
前記製本装置１は、画像形成装置２より搬送される用紙が１枚ずつ搬送される用紙導入口１０および用紙導入搬送路１１と、搬送された用紙を蓄積し、蓄積された用紙を整合する用紙整合部１２と、用紙整合部１２に蓄積された用紙束を接着剤を用いて接着する接着剤塗布部材１４と、用紙束積載部１６と、接着された用紙束を用紙束積載部１６へ搬送する用紙束排出搬送路１５を備える。
【００３４】
製本装置１における製本動作の概略を説明する。
【００３５】
画像形成装置２から出力される用紙を、用紙導入口１０、用紙導入搬送路１１を経由して、次々と用紙整合部１２に搬送し、用紙束として蓄積していく。用紙束を用紙整合部１２に蓄積し終えたら、接着剤塗布部材１４を用いて接着剤を用紙束の側面に塗布する。その後、接着された用紙束を用紙束排出搬送路１５を経由して用紙束積載部１６へ搬送する。
【００３６】
次に、接着剤の温度制御の概略を説明する。
【００３７】
先に述べた、用紙束の側面へ塗布する接着剤は、常温では固形であり、実際の接着時には塗布可能温度（ここでは約１８０℃）まで暖め、液状とした状態で塗布しなければ用を成さない。そこで、接着剤の温度を安定的に所定温度に保つために、温度制御部と温度センサと接着剤ヒータを設ける。
【００３８】
図３は接着剤塗布部材１４が塗布する接着剤の温度制御に関わる構成の概念図である。接着剤２０に対し、温度センサ２１および接着剤ヒータ２２が設けられ、接着剤２０の温度を制御する温度制御部２３と温度センサ２１および接着剤ヒータ２２が電気的に接続される。
【００３９】
図４は接着剤ヒータと温度センサを用いた接着剤の温度制御の概念図である。
【００４０】
温度制御部２３は、温度センサ２１からの入力と接着剤ヒータ２２への出力とが接続されている。温度制御部２３は温度センサ２１から入力される温度値を周期的に監視し、温度値と目標温度を比較し、温度値が目標温度を下回る場合に接着剤ヒータ２２を点灯状態とし、また、温度値が目標温度を上回る場合には接着剤ヒータ２２を消灯状態とすることで、接着剤温度を目標温度に保つ。
【００４１】
また、温度制御部２３は信号線３を含む通信手段を介して画像形成装置２と接続されており、通信手段を介した画像形成装置２からの第１の指示をトリガーとして、第１の目標温度をもって温度制御を開始する。ここで、第１の目標温度は、所定の塗布可能温度（ここでは１８０℃）である。さらに、画像形成装置２からの第２の指示をトリガーとして、第２の目標温度を持って温度制御を開始することも可能である。ここで、第２の目標温度は、第１の目標温度より低い所定の温度である。
【００４２】
さらに、画像形成装置２からの第３の指示をトリガーとして、接着剤ヒータをＯＦＦ状態とし、温度制御を停止することも可能である。
【００４３】
次に、画像形成装置２から製本装置１へ接着剤の温度調整指示を行う方法について説明する。
【００４４】
図５は、画像形成装置２と製本装置１との間の接着剤温度調整指示を行う方法の概念図である。
【００４５】
判断手段３０は、システム全体の制御を司る画像形成システム制御部３２と接続され、画像形成装置２の各種の情報および、画像形成装置２に入力される一連の画像データおよび後処理方法データからなるデータ群であるコピージョブまたはプリントアウトジョブの各種の情報を利用し、判断を行うことができる。
【００４６】
判断手段３０は、画像形成装置２に入力される、一連の画像データおよび後処理方法データからなるデータ群であるコピージョブまたはプリントアウトジョブが接着剤を用いた製本を行う製本ジョブであるかどうかを判断し、判断が成立した場合、第１の判断結果を指示手段３１に通知する。指示手段３１は、第１の判断結果をもって、信号線３を含む通信手段を介して製本装置１内の温度制御部２３に第１の指示を行う。
【００４７】
これにより、画像形成装置２に入力されるジョブが製本ジョブである場合に、初めて接着剤を第１の目標温度、すなわち、塗布可能温度まで加熱を開始し、製本ジョブが入力されるまでの間は不要な加熱を行わないことを可能とする。
【００４８】
判断手段３０は、一連の画像データおよび後処理方法データからなるデータ群であるコピージョブまたはプリントアウトジョブが画像形成装置２に入力されたことを判断し、判断が成立した場合、第１または第２の判断結果を指示手段３１に通知することも可能である。
【００４９】
これにより、画像形成装置２にジョブが入力された場合に、初めて接着剤を第１または第２の目標温度まで加熱を開始し、ジョブが入力されるまでの間は不要な加熱を行わないことを可能とする。
【００５０】
判断手段３０は、画像形成装置２の電源が投入されたことを判断し、判断が成立した場合、第１または第２の判断結果を指示手段３１に通知することも可能である。
【００５１】
これにより、画像形成装置２の電源が投入された場合、すぐに接着剤を第１または第２の目標温度まで加熱を開始し、速やかな製本ジョブの受付を可能とする。
【００５２】
判断手段３０は、画像形成装置２が節電状態から復帰したことを判断し、判断が成立した場合、第１または第２の判断結果を指示手段３１に通知することも可能である。
【００５３】
これにより、画像形成装置２が節電状態から復帰した場合、すぐに接着剤を第１または第２の目標温度まで加熱を開始し、速やかな製本ジョブの受付を可能とする。
【００５４】
判断手段３０は、画像形成装置２に備える不図示の操作パネルへの接触を判断し、判断が成立した場合、第１または第２の判断結果を指示手段３１に通知することも可能である。
【００５５】
これにより、操作者が画像形成装置２の操作を開始した場合、すぐに接着剤を第１または第２の目標温度まで加熱を開始し、速やかな製本ジョブの受付を可能とする。
【００５６】
判断手段３０は、画像形成動作および製本動作を完了したことを判断し、判断が成立した場合、第２または第３の判断結果を指示手段３１に通知することも可能である。
【００５７】
これにより、画像形成動作および製本動作が完了した場合、速やかに不必要な加熱をやめることを可能とする。
【００５８】
判断手段３０は、画像形成装置２の電源が断されたことを判断し、判断が成立した場合、第２または第３の判断結果を指示手段３１に通知することも可能である。
【００５９】
これにより、画像形成装置２の電源が断された場合、速やかに不必要な加熱をやめることを可能とする。
【００６０】
判断手段３０は、画像形成装置２が節電状態に移行したことを判断し、判断が成立した場合、第２または第３の判断結果を指示手段３１に通知することも可能である。
【００６１】
これにより、画像形成装置２が節電状態に移行した場合、速やかに不必要な加熱をやめることを可能とする。
【００６２】
実際の判断手段３０の判断動作は、上記の組み合わせによって成すことも可能である。また、異臭の発生と、消費電力をできるだけ押さえる動作を行うことは、実際に接着剤を用いた製本を行う際には長い待ち時間を必要とし、これらはトレードオフの関係となるため、判断手段３０の判断結果をユーザがカスタマイズできるようにすることで、ユーザの望む動作を実現することができる。
【００６３】
ここで、その一例を説明する。図７は、不図示の操作パネル上に表示された、カスタマイズ画面の例である。ボタン７０２は、各々対応する状態でのヒータ温調モードを選択するようになっている。７０４のように白抜きになっているボタンは、現在それが選択されている状態であり、７０５のようにハッチングがかかっているものは、選択されていない状態である。また、７０３のようにバツ印がついているものは、選択できない状態であることを示す。
【００６４】
ボタン７０２を操作して、操作者の望む動作状態を決定した後、ボタン７０１を押下すると、選択が確定し、判断手段３０の動作が決定される。
【００６５】
図８は操作パネルの設定例である。この設定例では、いかなるときにも温調を停止することとなっており、これは、極力不要な加熱を避けたいというユーザ向けの設定例である。この場合、実際に製本ジョブが投入されてから初めて接着温度での温調を開始するため、長い待ち時間を要する。
【００６６】
図９も操作パネルの設定例である。この設定例では、いかなるときにも接着温度で温調を行うこととなっており、これは、極力待ち時間を減らしたいというユーザ向けの設定例である。この場合、製本ジョブの投入にかかわらず常に温調を続けるため、異臭の発生や無駄な電力の発生が生じる。
【００６７】
次に、判断手段３０の制御方法について説明する。図６は、判断手段３０の動作に関わるフローチャートの例である。判断手段３０は以下のステップにて動作する。
【００６８】
Ｓ１０１では画像形成装置２の電源が投入されているかを判断し、投入されている場合はＳ１０２へ進み、投入されていない場合はＳ１０１へ戻る。
【００６９】
Ｓ１０２では第２の判断結果と判定し、Ｓ１０３へ進む。
【００７０】
Ｓ１０３では画像形成装置２の電源が断されているかを判断し、断されている場合はＳ１０４へ進み、断されていない場合にはＳ１０５へ進む。
【００７１】
Ｓ１０４では第３の判断結果と判定し、Ｓ１０１へ進む。
【００７２】
Ｓ１０５では画像形成システムが製本ジョブを処理中か否かを判断し、処理中であればＳ１０６へ進み、処理中でなければＳ１０３へ進む。
【００７３】
Ｓ１０６では第３の判断結果と判定し、Ｓ１０７へ進む。
【００７４】
Ｓ１０７では処理中の製本ジョブが完了したか否かを判断し、完了した場合はＳ１０８へ進み、完了していない場合はＳ１０７へ戻る。
【００７５】
Ｓ１０８では第２の判断結果と判定し、Ｓ１０３へ進む。
【００７６】
このフローチャートによる判断動作を行った場合、画像形成装置２の電源が投入されているときであって、かつ、製本ジョブの処理中であれば第１の判断結果とし、指示手段３１の指示により温度制御部２３は接着可能な温度で温度制御を行う。また、画像形成装置２の電源が投入されているときであって、製本ジョブの処理中以外であれば第２の判断結果とし、指示手段３１の指示により温度制御部２３は接着可能な温度より低い温度で温度制御を行う。画像形成装置２の電源が断されているときは第３の判断結果とし、指示手段３１の指示により温度制御部２３は接着剤ヒータ２２を消灯し温度制御をやめる。
【００７７】
ここで、上記Ｓ１０２、Ｓ１０４、Ｓ１０６、Ｓ１０８の判定は、先に述べた操作パネルの設定によって変化する。
【００７８】
また、前記温度制御部２３は、第１、第２、第３の指示を受けた後、目標とする所定の温度まで上昇もしくは下降したとき、それぞれ第１、第２、第３の応答を通信手段を介して画像形成装置２の不図示の制御部へ通知することも可能である。
【００７９】
これにより、画像形成装置２は製本装置１内の接着剤の状態を知ることができ、例えば、第１の応答を持って始めて製本ジョブの画像形成動作を開始する、すなわち、接着剤が接着可能な温度に達してから製本ジョブの画像形成動作を開始させることができる。
【００８０】
本発明では、画像形成装置から製本装置への指示によって接着剤の温度を塗布可能温度まで加熱するため、接着剤を使用しない場合にも常時加熱することを避け、異臭の原因となる接着剤の揮発成分の発生を抑制することで、周囲の作業者の不快感を軽減するとともに、ヒータによる消費電力の省電力化をはかることができる。
【図面の簡単な説明】
【００８１】
【図１】製本装置と画像形成装置が接続されたシステムの見取り図
【図２】図１の製本装置を正面から見たときの断面図
【図３】接着剤の温度制御に関わる構成の概念図
【図４】接着剤ヒータと温度センサを用いた接着剤の温度制御の概念図
【図５】接着剤温度調整指示を行う方法の概念図
【図６】判断手段の判断に関わるフローチャート
【図７】判断結果をカスタマイズするための操作部を表す図
【図８】判断結果をカスタマイズするための操作部を表す図
【図９】判断結果をカスタマイズするための操作部を表す図
【符号の説明】
【００８２】
１  製本装置
２  画像形成装置
３  信号線
１０  用紙導入口
１１  用紙導入搬送路
１２  用紙整合部
１４  接着剤塗布部材
１５  用紙束排出搬送路
１６  用紙束積載部
２０  接着剤
２１  温度センサ
２２  接着剤ヒータ
２３  温度制御部
３０  判断手段
３１  指示手段
３２  画像形成システム制御部
【図１】
2007057580.tif 000003
【図２】
2007057580.tif 000004
【図３】
2007057580.tif 000005
【図４】
2007057580.tif 000006
【図５】
2007057580.tif 000007
【図６】
2007057580.tif 000008
【図７】
2007057580.tif 000009
【図８】
2007057580.tif 000010
【図９】
2007057580.tif 000011